(57)【要約】【課題】  槽体本体以外に操作部を設けた排水栓装置の組み付けを容易かつ確実に行い得るようにする。【解決手段】  排水栓装置は、浴槽１０の底面１１に形成された排水栓４９を開閉するための排水栓駆動機構４０を、浴槽１０の上面のフランジ１２の裏側に固定されたステイ１５によって支持されるとともに、固定具４３によってエプロン２０に固定する。排水栓駆動機構４０の取付時には、まず、この排水栓駆動機構４０の取付部４１をステイ１５に支持させる。そして、エプロン２０を取付け、表面側から固定具４３で取付部４１を締め付けて固定する。  こうすることにより、排水栓駆動機構４０を手で支えるなどしなくてもエプロン２０の開口部２１に容易に設けることが可能となる。【選択図】  図３
2014148831.tif 000002
【特許請求の範囲】
【請求項１】
槽体に設けられた排水栓を開閉するための排水栓装置であって、
前記槽体に設けられた排水栓を開閉するための排水栓駆動機構と、
開口部を有し、前記槽体またはその近傍に設置される化粧パネルと、
前記化粧パネルで覆われる部位において、前記排水栓駆動機構を操作するための操作部を、前記化粧パネルとは独立して前記開口部に対向すべき位置に支持する支持部と、
前記化粧パネルの表面から、前記操作部を前記開口部に固定するための固定部材とを備える
排水栓装置。
【請求項２】
請求項１記載の排水栓装置であって、
前記化粧パネルは、前記槽体に取り付けられるエプロンである排水栓装置。
【請求項３】
請求項１または２記載の排水栓装置であって、
前記固定部材は、該固定部材と前記操作部との間で前記化粧パネルを挟み込む機構である
排水栓装置。
【請求項４】
請求項１〜３いずれか記載の排水栓装置であって、
前記固定部材は、前記化粧パネルの前記開口部をシールする
排水栓装置。
【請求項５】
請求項１〜４いずれか記載の排水栓装置であって、
前記支持部は、前記操作部を備えるとともに、該操作部に加えられた操作力を、前記化粧パネルの面に沿って前記排水栓駆動機構に伝達する伝達機構を備える排水栓装置。
【請求項６】
請求項１〜５いずれか記載の排水栓装置であって、
前記支持部は、前記化粧パネルの面に沿う方向に位置が移動可能に前記操作部を支持する機構である
排水栓装置。
【請求項７】
請求項１〜６いずれか記載の排水栓装置であって、
前記排水栓駆動機構は、漏水しないように、その外側を覆うカバーを備える排水栓装置。
【請求項８】
槽体に設けられた排水栓を開閉するための排水栓装置を組み付ける組み付け方法であって、
前記槽体に設けられた排水栓を開閉するための排水栓駆動機構を備えた該槽体を設置するステップと、
開口部を有し、前記槽体またはその近傍に設置される化粧パネルを用意するステップと、
前記化粧パネルで覆われる部位において、前記排水栓駆動機構を操作するための操作部を、前記化粧パネルとは独立して前記開口部に対向すべき位置に支持するステップと、
前記化粧パネルの表面から、前記操作部を前記開口部に固定するステップとを備える
組み付け方法。
【発明の詳細な説明】
【技術分野】
【０００１】
本発明は、槽体に設けられた排水栓を開閉するための排水栓装置に関する。
【背景技術】
【０００２】
従来、浴槽などの槽体に設けられた排水栓を、同じく槽体に取り付けられた操作部の操作によって開閉するための排水栓装置が知られている（例えば、特許文献１など）。
図１は、従来技術としての排水栓装置を例示する説明図である。浴槽１００の底面１０１に形成された排水口１０４には排水栓機構１１０が取り付けられている。浴槽１００の側壁１０２で支持されたフランジ部１０３には、排水栓機構１１０を操作するための操作部１２１としての押しボタンが取り付けられている。操作部１２１と操作部１１０とは、レリースワイヤ１２２で連結されており、ユーザが操作部１２１を操作すると、その操作力がレリースワイヤ１２２を介して排水栓機構１１０に伝達され、排水栓が開閉するようになっている。レリースワイヤ１２２の周囲は、ガイドチューブ１２０で覆われている。
【０００３】
上述のように、浴槽１００のフランジ部１０３に排水栓装置の操作部１２１を形成すると、次に示す種々の不都合が生じることがあった。
第１に、操作部１２１が存在することにより、フランジ部１０３の上面が平坦でなくなるため、浴槽と、そのフタとの間に隙間が生じたり、腰掛けるときに不快感を受けたりしてしまう。第２に、浴槽１００を浴室内に設置する際、操作部１２１が所定の位置、例えば浴室内の洗い場手前側に位置するように浴槽１００の向きを決定する必要が生じ、浴槽１００の設置方向の自由度が低下する。
【０００４】
かかる弊害を考慮し、操作部を浴槽のフランジ部以外に設けた例として、特許文献２に開示された装置がある。この例では、操作部は、浴室の壁に取り付けられている。
【先行技術文献】
【特許文献】
【０００５】
【特許文献１】特開２０１２−２１１４４９号公報
【特許文献２】特開２０１０−１９６３３１号公報
【発明の概要】
【発明が解決しようとする課題】
【０００６】
しかし、特許文献２に開示されるように操作部を浴槽本体とは異なる部分に取り付けることは容易ではない。排水栓装置では、電気配線を接続するように単に排水栓と操作部とが接続されていれば足りるというものではなく、操作部に加えられた操作力がレリースワイヤ等を介して機械的に伝達されるように連結する必要がある。また、排水栓装置を組み付けた後も、適宜、点検・修理のために分解できる必要がある。
このように組み付けを行おうとしても、操作部を取り付ける部位によっては、設置者が、排水栓装置を視認することが困難であったり、手を差し入れて作業できる十分なスペースがなかったりして、確実な組み付けを効率的に行うことができなかった。かかる課題は、浴槽以外の槽体についても同様である。
本発明は、かかる課題に鑑み、槽体本体以外に操作部を設けた排水栓装置の組み付けを容易かつ確実に行い得るようにすることを目的とする。
【課題を解決するための手段】
【０００７】
本発明は、
槽体に設けられた排水栓を開閉するための排水栓装置において、
前記槽体に設けられた排水栓を開閉するための排水栓駆動機構と、
開口部を有し、前記槽体またはその近傍に設置される化粧パネルと、
前記化粧パネルで覆われる部位において、前記排水栓駆動機構を操作するための操作部を、前記化粧パネルとは独立して前記開口部に対向すべき位置に支持する支持部と、
前記化粧パネルの表面から、前記操作部を前記開口部に固定するための固定部材とを備えるものとして構成することができる。
【０００８】
本発明によれば、化粧パネルとは独立して設けられた支持部によって、排水栓を開閉するための操作部を、化粧パネルに設けられた開口部に対向した状態に支持することができる。こうすることにより、化粧パネルを取り付ける際に、排水栓駆動機構または操作部を手で支えるなどしなくても、化粧パネルが障害となることなく、容易かつ確実にその開口部に、操作部を固定することができる。従って、排水栓装置において、槽体自体以外の化粧パネル面に、操作部を比較的容易に設けることが可能となる。
【０００９】
本発明において、槽体には、浴槽や洗面槽などが含まれる。
排水栓は、槽体の底面に形成されていることが多いが、その他の部位に形成されていても差し支えない。
排水栓駆動機構としては、排水栓を開閉するための公知の任意の機構を適用できる。例えば、図１に示したようにレリースワイヤに加えられた押し力によって開閉する機構、レリースワイヤに代えてリンクを用いた機構、押し力に代えてつまみなどの回転に応じて開閉する機構などが挙げられる。
操作部は、排水栓駆動機構と一体的に構成されていてもよいし、別体であってもよい。
支持部は、操作部を槽体自体に支持する部材としてもよい。また、槽体を床面その他に設置するためのフレーム、槽体が設置される室その他の構造体に操作部を支持する部材としてもよい。
化粧パネルは、槽体自体に設置されるものの他、その近傍に設置されるものも含まれる。近傍に設置されるものとしては、例えば、槽体が浴槽である場合には、浴室の壁面、床面などが挙げられる。
【００１０】
本発明の排水栓装置において、
前記化粧パネルは、前記槽体に取り付けられるエプロンとしてもよい。
エプロンとは、槽体の前面に取り付けられる化粧パネルを言う。一般に、槽体の本体とエプロンとの間は、隙間が十分に存在せず、エプロンを取り付けた後、排水栓装置の駆動機構を取り付けるのは非常に困難である。従って、エプロンは、本発明の有用性が特に高い部位となる。
また、槽体の排水栓を操作するための操作部を設ける部位としては、排水栓からの距離が短く操作力を効率的に伝達できるとともに、利用者が排水栓の状態を確認しながら操作しやすいという点で、槽体の前面が好ましい。かかる意味からも、エプロンに操作部を設ける構成は有用性が高い。
【００１１】
本発明において、
前記固定部材は、該固定部材と前記操作部との間で前記化粧パネルを挟み込む機構であるものとしてもよい。
こうすることによって、比較的容易に、操作部を化粧パネルに固定することができる。例えば、操作部の外周と、固定部材の内周に、ネジ溝を切っておき、固定部材を操作部に締結可能にするとともに、操作部および固定部材に、開口部の外径よりも大きい部分を設けることによって、操作部と固定部材とで化粧パネルを挟み込む構造とすることができる。
【００１２】
本発明において、
前記固定部材は、前記化粧パネルの前記開口部をシールするものとしてもよい。
こうすることによって、開口部からの漏水を防止することができる。
シールは、種々の方法で行うことができる。例えば、固定部材と化粧パネルとの接触部分に、ゴム、シリコンなどのシール部材を取付可能としてもよい。
【００１３】
本発明において、
前記支持部は、前記操作部を備えるとともに、該操作部に加えられた操作力を、前記化粧パネルの面に沿って前記排水栓駆動機構に伝達する伝達機構を備えるものとしてもよい。
こうすることにより、槽体の排水栓の位置に関わらず、操作部を任意の位置に設けることができる。また、操作部の位置を変化させた多種多様な支持部を用意しておくことにより、排水栓駆動機構を共通としながら、操作部の位置を容易に変化させられるため、排水栓装置の利便性を向上させることができる。
【００１４】
本発明において、
前記支持部は、前記化粧パネルの面に沿う方向に位置が移動可能に前記操作部を支持する機構であるものとしてもよい。
本発明では、化粧パネルの開口部に対向するように操作部を支持するが、支持部の精度や取付状態によっては、開口部と操作部の位置がずれることがある。上述の態様によれば、操作部の位置が移動可能な状態で支持されるため、操作部と開口部との位置がずれていても、そのずれを吸収して、操作部を化粧パネルに固定することができる。
位置が移動可能な機構としては、例えば、支持部を可撓性の材料で構成してもよい、また、支持部自体の取付部分または支持部への操作部の取付部分に遊びを持たせた構成としてもよい。さらに、操作部を支持部から脱着可能な構成とし、開口部に固定する際に操作部が支持部から離脱することで、操作部の位置を移動可能としてもよい。
【００１５】
本発明においては、
前記操作部は、前記化粧パネルの外側表面から突出しない状態に取り付けられているものとしてもよい。
こうすることによって、操作部の外観を向上させることができる。
また、操作部には、非使用時には外側表面から突出しない状態とし、使用時に外側表面から突出した状態にポップアップする機構を併せて設けても良い。こうすることによって、外観と操作性の双方を向上させることも可能である。
【００１６】
本発明においては、
前記排水栓駆動機構は、漏水しないように、その外側を覆うカバーを備えるものとしてもよい。
こうすることによって、排水栓駆動機構からの漏水を防止し、これによる故障等を抑制することができる。
また、排水栓駆動機構として、図１に示したようなレリースワイヤを用いている場合、その交換をする際に、上述のカバーがガイドとなり、排水栓駆動機構の一端から他端にレリースワイヤを渡すことが可能となる。
【００１７】
本発明は、上述した特徴を必ずしも全て備える必要はなく、適宜、その一部を省略したり組み合わせたりして構成してもよい。
本発明は、上述した排水栓装置としての構成の他、かかる排水栓装置を製造するための製造方法として構成することもできる。
また、槽体に設けられた排水栓を開閉するための排水栓装置を組み付ける組み付け方法として構成してもよい。かかる構成は、
前記槽体に設けられた排水栓を開閉するための排水栓駆動機構を備えた該槽体を設置するステップと、
開口部を有し、前記槽体またはその近傍に設置される化粧パネルを用意するステップと、
前記化粧パネルで覆われる部位において、前記排水栓駆動機構を操作するための操作部を、前記化粧パネルとは独立して前記開口部に対向すべき位置に支持するステップと、
前記化粧パネルの表面から、前記操作部を前記開口部に固定するステップとを備えるものとすることができる。
これらの各ステップの実行順序は、適宜、入れ替えても差し支えない。また、槽体を設置する現場で全てのステップを行うものとしてもよいし、一部を工場などで予め行うものとしてもよい。
【図面の簡単な説明】
【００１８】
【図１】従来技術としての排水栓装置を例示する説明図である。
【図２】実施例におけるユニットバスの概略構造を示す説明図である。
【図３】排水栓装置の構造を示す説明図である。
【図４】排水栓装置取付工程の工程図である。
【図５】変形例としての取付部の構造を示す説明図である。
【図６】変形例としての支持部の構造を示す説明図である。
【発明を実施するための形態】
【実施例１】
【００１９】
Ａ．全体構造：
本発明の実施例について、ユニットバスの浴槽に取り付ける排水栓装置を例にとって説明する。実施例では、浴槽に排水栓装置を取り付けた場合を例にとって説明するが、本発明は、浴槽だけでなく、洗面槽など種々の槽体に適用可能である。
図２は、実施例におけるユニットバスの概略構造を示す説明図である。
ユニットバスには、入浴用の浴槽１０が備えられている。浴槽１０は、金属製の架台１によって床面に支持されている。浴槽１０の底面には排水口１４が形成されており、ここに排水栓装置が取り付けられている。
ユニットバスには、いくつかの化粧パネルが装着されている。図中には、化粧パネルの例として、前面側に水平に設置され洗い場となる洗い場パネル２５、および浴槽１０の前面を垂直に覆うエプロン２０を示した。その他、図示を省略しているが、ユニットバスの室内壁面を覆う化粧パネルも装着されている。
【００２０】
Ｂ．排水栓装置の構造：
図３は、排水栓装置の構造を示す説明図である。
図３（ａ）には、全体構造の概要を断面図で示した。排水栓装置は、浴槽１０の底面１１に形成された排水口に取り付けられた排水栓４９を開閉するための装置である。実施例の排水栓装置は、排水栓駆動機構４０によって駆動される。図の煩雑化を回避するため、排水栓４９を駆動する部分は模式的に示した。例えば、図１で示した機構などを適用できる。
排水栓駆動機構４０は、浴槽１０の上面のフランジ１２の裏側に固定されたステイ１５によって支持されるとともに、後述する固定具によってエプロン２０に固定されている。
実施例では、フランジ１２に固定したステイ１５を例示したが、架台１に固定したステイ１５Ａによって固定してもよい。その他、エプロン２０を組み付ける際に、排水栓駆動機構４０を支持可能であれば、ステイ１５は種々の部位に設けることができる。必ずしも排水栓駆動機構４０の位置が動かないほどに堅固に固定する必要はなく、エプロン２０を組み付ける際に大きな位置ずれが生じない程度に支持できればよいため、例えば、浴槽１０とエプロン２０との間に設置される断熱材にステイ１５を取り付けたり、断熱材自体をステイ１５として用いたりすることもできる。
排水栓駆動機構４０には、図１に示した機構と同様に、排水栓４９に操作力を伝達するレリースワイヤ４８が取り付けられており、これによって排水栓４９を開閉するための操作力を伝達することができる。
また、排水栓駆動機構４０の外周は、漏水を防止するためのガイドチューブ５０で覆われている。このようにガイドチューブ５０で覆うことにより、外部への漏水を回避することができるとともに、レリースワイヤ４８を交換する必要が生じた場合には、レリースワイヤ４８の挿入時に、取付部４１から排水栓４９まで容易にガイドすることができる。
【００２１】
浴槽１０の前面は、フランジ１２から垂直に下がった前面部１３が設けられている。前面部１３の下には、エプロン２０が取り付けられている。エプロン２０には、開口部２１が形成されており、ここに排水栓駆動機構４０が固定される。
【００２２】
図３（ｂ）は、排水栓駆動機構４０をエプロン２０に固定する部分Ａの斜視図である。図示する通り、ステイ１５の開口部１６に、排水栓駆動機構４０の取付部４１が取り付けられており、この状態で取付部４１は、エプロン２０の開口部２１からのぞく位置で固定具で締めやすい位置に配置される。エプロン２０の表面側からは、固定具４３が取り付けられる。固定具４３は、後述する通り、その先端の突部４３ｃの内周にネジ溝が形成されており、取付部４１の外周に形成されたネジ溝にはまるようになっている。
取付部４１には、外周に凸状の回り止め４１ｄが形成されており、ステイ１５の開口部１６も同一形状の凹部１６ａとなっている。こうすることにより、固定具４３を固定する際に、取付部４１が回転することを防ぎ、しっかりと固定することが可能となる。
【００２３】
図３（ｃ）は、排水栓駆動機構４０をエプロン２０に固定する部分Ａの拡大断面図である。
排水栓駆動機構４０の取付部４１は、ステイ１５に形成された円形の開口部１６に固定されている。取付部４１には、その内部に円筒状のインナーケース４４が一体的に形成され、さらにその内面に円筒状のガイド部４１Ａが形成されており、その根元の部分にレリースワイヤ４８のアウタチューブ４８ｔが固定されている。インナーケース４４の内部には、ユーザが操作するための円盤状の操作部４２が取り付けられている。操作部４２は押しボタン、つまみ、スライドなど種々の形式を適用できる。漏水を防止するため、取付部４１と作動部４２との間には、Ｏリング、Ｘリングなどを装着することが好ましい。操作部４２の中央にはレリースワイヤ４８のインナワイヤ４８ｗが固定されている。また、中央部に設けられた円筒状の筒状部４２ａが形成されている。筒状部４２ａは、ガイド部４１Ａの外側をスライドするようにはめ込まれており、インナワイヤ４８ｗの座屈を抑制する役割を果たす。操作部４２が図中左右方向に移動すると、その操作力が、インナワイヤ４８ｗを介して排水栓４９を開閉させることになる。
インナーケース４４の外径はエプロン２０の開口部２１の内径よりも小さく、その外周にネジ溝４４ａが形成されている。また、取付部４１の外径はエプロン２０の開口部２１の内径よりも大きくなっており、排水栓駆動機構４０がエプロン２０の表面側に脱落するのを防止する機能を果たしている。
インナーケース４４を開口部２１近傍に配置した状態で、エプロン２０の表面側から固定具４３をはめ込む。固定具４３は、図３（ｂ）に示したように円環状の形状をなすとともに、フランジ４３ａ、４３ｂが形成されており、断面Ｔ字状となっている。外側のフランジ４３ａは、外径が開口部２１の径よりも大きく形成されており、後述する通り、エプロン２０を表面側から押さえる役割を果たす。内側のフランジ４３ｂは、内径が、インナーケース４４の内径と合わせて形成されており、装着時にインナーケース４４の断面を覆い隠すことによって美観を向上させる役割を果たす。
固定具４３には円筒状の突部４３ｃが設けられており、その内周には、インナーケース４４のネジ溝４４ａにはまるネジ溝４３ｄが形成されている。この状態で固定具４３とインナーケース４４とを締め付けることにより、固定具４３と取付部４１との間で、エプロン２０を挟み込む形となり、排水栓駆動機構４０をエプロン２０に固定することができる。
固定具４３とエプロン２０との間には、漏水を防止するためのシールを設けても良い。シールは、例えば、フランジ４３ａとエプロン２０との間、突部４３ｃと開口部２１との間、固定具４３とインナーケース４４との間、取付部４１とエプロン２０との間などに設けることができる。
【００２４】
Ｃ．排水栓装置取付工程：
図４は排水栓装置取付工程の工程図である。図３に示した排水栓装置を取り付ける場合を例にとって説明する。
まず、作業者は、浴槽を設置する（ステップＳ１）。
次に、排水栓駆動機構４０をステイ１５に支持する（ステップＳ２）。支持とは、必ずしもネジ等で固定する必要はなく、組み付けが完了するまでの間、脱落しない程度に保持しておくことも含む。例えば、ステイ１５の開口部１６の内径を、取付部４１の外径と同程度としておき、取付部４１を開口部１６に押し込むことによって簡易に支持する方法をとってもよい。
こうして排水栓駆動機構４０をステイ１５に支持した後は、浴槽のエプロン２０を取り付ける（ステップＳ３）。
そして、固定具４３を装着し、排水栓駆動機構４０をエプロン２０に固定する（ステップＳ４）。
実施例で説明した排水栓装置取付工程（図４）は、必ずしも図３に示した専用のステイを用いて行う場合に限らず適用できる。例えば、排水栓駆動機構４０の取付部４１がエプロン２０の開口部２１付近に来るように、テープや紐を使って、支持する方法をとってもよい。
【００２５】
本実施例の排水栓装置によれば、ステイ１５によって排水栓駆動機構４０の取付部４１が支持されるため、エプロン２０の組み付け時に手で支えるなどしなくても、取付部４１を開口部２１の近傍に容易に配置することができる。従って、本実施例によれば、浴槽１０以外の部位、即ちエプロン２０に、操作部４２を形成した排水栓装置を、容易に実現することができる。
【００２６】
Ｄ．変形例１：
図５は、変形例としての取付部の構造を示す説明図である。図５（ａ）に示すように、実施例と異なり、変形例の取付部４１Ａは、背面側、操作部４２の裏側がテーパ形状となっている。取付部４１は最大外径が、ステイ１５の開口部の内径より大きくなっている。取付部４１Ａをステイ１５の表面側から押し込めば、テーパしている部分のいずれかの箇所で取付部４１Ａを容易に開口部に支持することが可能である。また、このように支持された取付部４１Ａは、表面側に引っ張れば、容易にステイ１５から取り外すことができる。
取付部４１の先端は、二重の円環状の突部４１Ｂ、４１Ｃが形成されている。外側の突部４１Ｂは、内径がエプロン２０の開口部２１の内径よりも大きい。内側の突部４１Ｃは、外径が開口部２１よりも小さくなっており、その外側には、固定具４３にはまるネジ溝が形成されている。
取付部４１の内側には、レリースワイヤ４８が接続された操作部４２が取り付けられている。取付部４１の内面もテーパ形状となっているが、操作部４２が押しボタンの場合、操作に必要なストロークＤに相当する部分は、操作部４２の外径と同程度の径で維持されている。
【００２７】
図５（ｂ）に、エプロン２０への取付状態を示した。取付方法は、実施例（図３，４）と同様、エプロン２０の表面側から、固定具４３で締め付けることによって行う。固定具４３を締め付けると、固定具４３と外側の突部４１Ｂとの間で、エプロン２０を挟み込む形となり、エプロン２０に取付部４１Ａが固定される。
固定具４３を締め付けられると、これに応じて、取付部４１Ａは、エプロン２０側（図中の矢印Ｒ方向）に移動する。この結果、取付部４１Ａのテーパ部分は、ステイ１５から離れることになる（図中の領域Ｃ）。そして、この結果、取付部４１Ａの位置はステイ１５に拘束されることなく、自由に調整可能となる。取付部４１Ａには固定具４３が取り付けられているから、ステイ１５から離れたとしても脱落することはない。
仮に、取付部４１Ａがステイ１５に固定されている場合には、ステイ１５と開口部２１との間に位置のずれがあると、取付部４１Ａがエプロン２０に適正に固定できないおそれがある。これに対し、変形例の構造によれば、固定時に、取付部４１Ａの位置が自由に移動できるため、ステイ１５の位置合わせ精度が低くても、取付部４１Ａを適正に開口部２１に固定することができる利点がある。
【００２８】
Ｅ．変形例２：
図６は、変形例としての支持部の構造を示す説明図である。
実施例（図３）では、押しボタンによる操作力を伝達する機構の例を示したが、ここでは、つまみを回転させる操作力を伝達する機構を例示する。排水栓装置の全体構造は、実施例（図２、図３）と同様である。
図６（ａ）は、全体構造を示す斜視図である。実施例と同様、浴槽１０に排水栓装置が取り付けられている。ただし、変形例ではステイ１５Ｂには、エプロン２０Ａの面に沿って動力を伝達可能な機構が備えられている点で相違する。即ち、ステイ１５Ｂに備えられた操作部８１を回転させると、伝達機構８３を介して、ステイ側作動部８２を回転させることができるようになっている。
図６（ｂ）は、エプロン２０Ａ側から見た排水栓装置の状態を示す説明図である。排水栓駆動機構４０（ガイドチューブ５０内に組み込まれている）が、浴槽の排水栓位置からほぼ垂直、即ち上下方向に立ち上がっているのに対し、ステイ側駆動機構８０はエプロン２０Ａに沿って操作力を伝達可能となっているため、排水栓位置からずれた部分に操作部８１を設けることが可能となっている。このように槽体側駆動機構４０をほぼ垂直に立ち上げることによって、槽体側駆動機構４０の長さを最小限に抑えることができ、構造を簡素化できるとともに、駆動力を効率的に伝達することが可能となる利点がある。  一般に槽体では、排水栓は底面の中央に形成されていることが多い。従って、排水栓位置に合わせてパネル側駆動機構を取り付けると、操作部は図６（ｂ）中のステイ側作動部８２の位置に設けられることになる。
これに対し、変形例２のように、エプロン２０Ａに沿って操作力を伝達可能な機構を備えるものとしておけば、操作部８１を任意の位置に設けることができ、浴槽の外観を向上させるとともに、利便性を向上させることもできる。
【００２９】
図６（ｃ）は操作力を伝達するための機構の概要を示す説明図である。この機構は、２組の導管８３Ｂ、８３Ｃおよびインナー材８３Ｄ、８３Ｅを用いて、回転トルクを伝達するよう構成されている。導管８３Ｂ、８３Ｃは密着コイルバネで構成されている。それぞれの導管８３Ｂ、８３Ｃ内に挿入されたインナー材８３Ｄ、８３Ｅは単線またはより線のワイヤとすることができる。図示を省略しているが、導管８３Ｂ、８３Ｃはステイ１５ＢＡのいずれかの部位に固定されている。保護のため、導管８３Ｂ、８３Ｃを覆う被覆管８３Ａを設けても良い。また、図示の便宜上、導管８３Ａ、８３Ｂを平行に配置した状態で示しているが、いずれも柔軟性を有する部材であるため、導管８３Ａ、８３Ｂを密着させた上、被覆管８３Ａで覆うようにしても差し支えない。
インナー材８３Ｄ、８３Ｅは、それぞれ操作部８１、ステイ側作動部８２に固定されている。操作部８１、ステイ側作動部８２は、それぞれ回転軸８１Ｃ、８２Ｃを中心に回転可能な円盤状部材である。操作部８１、ステイ側作動部８２を滑車で構成し、インナー材８３Ｄ、８３Ｅを一連の環状のワイヤとした上で、操作部８１、ステイ側作動部８２に引っかける構造やこれらに複数回巻き付ける構造などとしてもよい。
かかる構造において、操作部８１を、図示する通り、右回転Ｒ１の方向に回転させたとする。この回転によって、インナー材８３Ｂには引っ張り力ＴＲ１が作用する。この引っ張り力ＴＲ１はインナー材８３Ｄによって伝達され、ステイ側作動部８２の外周部分を引っ張り力ＴＲ１で引っ張るため、これを矢印Ｒ２方向に回転させることができる。操作部８１を逆方向に回転させた場合には、同様に、インナー材８３Ｅによって引っ張り力が伝達され、ステイ側作動部８２を回転させることができる。
ステイ側作動部８２と排水栓駆動機構との連結は、種々の方法をとることができる。例えば、両者をネジ等で締結する方法をとってもよい。また、排水栓駆動機構の取付部とステイ側作動部８２とに、それぞれはまり合う凹部および突起を形成し、これによって操作力を伝達可能としてもよい。
【００３０】
変形例２の構造によれば、浴槽１０の排水栓の位置に関わらず、操作部８１をエプロン２０Ａ内で任意の場所に形成することができる。また、操作部８１の位置を変化させた多種多様なステイ１５Ｂ、エプロン２０Ａを用意しておくことにより、排水栓駆動機構を設計変更しなくても、ステイ１５Ｂ、エプロン２０Ａの選択・取り替えによって操作部８１の位置を容易に変化させられる利点もある。
【００３１】
以上、本発明の実施例および変形例について説明した。実施例および変形例で示した種々の特徴は、必ずしも全てを備えている必要はなく、適宜、一部を省略したり、組み合わせたりしてもよい。
また、本発明は更に多くの変形例を構成することができる。例えば、実施例および変形例では、押し力、回転力を伝達する機構を例示したが、操作部は、つまみをスライドさせるものであってもよい。取付部４１等をエプロン２０に固定する構造は、実施例等で開示したものに限られず、種々適用可能である。
【産業上の利用可能性】
【００３２】
本発明は、槽体の排水栓装置において、槽体本体以外に操作部を設けた排水栓装置の組み付けを容易かつ確実に行い得るために利用可能である。
【符号の説明】
【００３３】
１…架台
１０…浴槽
１１…底面
１２…フランジ
１３…前面部
１４…排水口
１５、１５Ａ、１５Ｂ…ステイ
１６…開口部
１６ａ…凹部
２０、２０Ａ…エプロン
２１…開口部
２５…洗い場パネル
４０…排水栓駆動機構
４１、４１Ａ…取付部
４１Ｂ、４１Ｃ…突部
４１ｄ…回り止め
４２…操作部
４２ａ…筒状部
４３…固定具
４３ａ，４３ｂ…フランジ
４３ｃ…突部
４４…インナーケース
４４ａ、４３ｄ…ネジ溝
４４ｇ…ガイド部
４８…レリースワイヤ
４８ｔ…アウタチューブ
４８ｗ…インナワイヤ
４９…排水栓
５０…ガイドチューブ
８０…パネル側駆動機構
８１…操作部
８１Ｃ、８２Ｃ…回転軸
８２…パネル側作動部
８３…伝達機構
８３Ａ…被覆管
８３Ｂ、８３Ｃ…導管
８３Ｄ、８３Ｅ…インナー材
１００…浴槽
１０１…底面
１０２…側壁
１０３…フランジ部
１０４…排水口
１１０…排水栓機構
１２０…ガイドチューブ
１２１…操作部
１２２…レリースワイヤ
【図１】
2014148831.tif 000003
【図２】
2014148831.tif 000004
【図３】
2014148831.tif 000005
【図４】
2014148831.tif 000006
【図５】
2014148831.tif 000007
【図６】
2014148831.tif 000008